(57)【要約】【課題】磁心の電気特性の低下を防ぎつつ、磁心の取り外しが容易に行える固定具を提供する。【解決手段】環状の磁心をその中心軸と平行な平面に固定する固定具である。固定具は、磁心をその中心軸方向に挟んで対向する１対の側壁と、１対の側壁間に配設され、磁心の外周面に当接する支持部とを備える。１対の側壁は、平面に当接する底面を分割するように平面と離間する方向に凹んだ凹部と、側壁の磁心と対向する面とは反対側の面に形成される溝とをそれぞれ有する。溝は磁心の中心軸方向から視て、磁心の内孔と凹部とを結ぶ仮想直線と重なる位置に形成されている。【選択図】図１
2018078167.tif 000002
【特許請求の範囲】
【請求項１】
環状の磁心をその中心軸と平行な平面に固定する固定具であって、
前記磁心をその中心軸方向に挟んで対向する１対の側壁と、
前記１対の側壁間に配設され、前記磁心の外周面に当接する支持部と
を備え、
前記１対の側壁は、前記平面に当接する底面を分割するように前記平面と離間する方向に凹んだ凹部と、前記側壁の磁心と対向する面とは反対側の面に形成される溝とをそれぞれ有し、
前記溝は、前記磁心の中心軸方向から視て、前記磁心の内孔と前記凹部とを結ぶ仮想直線と重なる位置に形成されている、固定具。
【請求項２】
請求項１に記載の固定具であって、
前記１対の側壁のうち、少なくとも一方の前記溝は、前記磁心の内孔側から前記底面側に向かって拡幅する段差を有する、固定具。
【請求項３】
請求項１又は請求項２に記載の固定具であって、
前記支持部は、前記磁心の中心軸方向の厚みに応じて、前記磁心が当接する位置が変わるように構成されている、固定具。
【請求項４】
請求項１から請求項３までのいずれか１項に記載の固定具であって、
前記１対の側壁は、前記磁心の中心軸方向に貫通する孔を有する、固定具。
【請求項５】
少なくとも１つの請求項１から請求項４までのいずれか１項に記載の固定具と、
環状の磁心と、
前記固定具と前記磁心とを結束する結束バンドと
を備え、
前記磁心の外周面は、前記固定具の前記支持部に当接し、
前記結束バンドは、前記溝内に収納されつつ、前記磁心の内孔、並びに前記１対の側壁の外面及び前記凹部に架け渡されている、雑音電流吸収具。
【発明の詳細な説明】
【技術分野】
【０００１】
本開示は、固定具に関する。
【背景技術】
【０００２】
電線に流れる雑音電流を吸収する部品として、貫通孔（つまり内孔）を有する環状の磁心（いわゆる磁性体コア）の外周面と内孔とに交互に接するように電線を巻回し、磁心によって雑音電流を吸収する雑音電流吸収具が知られている。
【０００３】
このような雑音電流吸収具の筐体等への固定手段としては、磁心を収納したケースにネジ穴を設け、ネジの締結によりケースを固定する方法が公知である（特許文献１参照）。
また、磁心の外周面に帯状の締結具を周方向に架け渡すことで磁心を台座に固定する方法も知られている（特許文献２参照）。
【先行技術文献】
【特許文献】
【０００４】
【特許文献１】特開平１０−７４６３１号公報
【特許文献２】特開２００９−１０２５５号公報
【発明の概要】
【発明が解決しようとする課題】
【０００５】
雑音電流吸収具においては、磁心のメンテナンスや交換を行う必要があるが、特許文献１のように磁心を収納したケースをネジによって固定すると、ネジを外した上でケースから磁心を取り出す必要があり、作業が煩雑とならざるを得ない。また、磁心は中心軸方向に複数連続して配置される場合があり、このような場合には、磁心取り出しの作業性はさらに低下する。
【０００６】
一方で、特許文献２の構成では、締結具を切断することで磁心を取り出すことができる。しかし、磁心の外周面に締結具を架け渡すと、締結具の締め付け力によって磁心の電気特性が低下するおそれがある。
【０００７】
本開示の一局面は、磁心の電気特性の低下を防ぎつつ、磁心の取り外しが容易に行える固定具を提供することを目的としている。
【課題を解決するための手段】
【０００８】
本開示の一態様は、環状の磁心をその中心軸と平行な平面に固定する固定具である。固定具は、磁心をその中心軸方向に挟んで対向する１対の側壁と、１対の側壁間に配設され、磁心の外周面に当接する支持部とを備える。１対の側壁は、平面に当接する底面を分割するように平面と離間する方向に凹んだ凹部と、側壁の磁心と対向する面とは反対側の面に形成される溝とをそれぞれ有する。溝は磁心の中心軸方向から視て、磁心の内孔と凹部とを結ぶ仮想直線と重なる位置に形成されている。
【０００９】
このような構成によれば、磁心の外周面を支持部に当接させ、結束バンドを磁心の内孔を通るように固定具に架け渡すことで、磁心を固定具に結束することができる。そのため、固定具を平面に固定した後でも、結束バンドを切断することで、容易に磁心を固定具から取り外すことができる。また、結束バンドを磁心の中心軸方向に架け渡すことで、締め付け力による磁心の電気特性の低下を防ぐことができる。また、結束バンドは溝に収納されるため、複数の固定具を磁心の中心軸方向に隙間なく連結することができる。
【００１０】
本開示の一態様は、１対の側壁のうち、少なくとも一方の溝は、磁心の内孔側から凹部側に向かって拡幅する段差を有してもよい。このような構成によれば、段差によって形成される拡幅領域に結束バンドのバンドヘッドを収納することで、磁心に向かう方向の張力が結束バンドに加わった際に、バンドヘッドの外面が段差に引っ掛かるように当接する。その結果、バンドヘッドのバンド結合部分（つまり、バンド挿通路）に加わる応力が低減されるので、バンド結合部分の耐性を高めることができる。
【００１１】
本開示の一態様は、支持部は、磁心の中心軸方向の厚みに応じて、磁心が当接する位置が変わるように構成されていてもよい。このような構成によれば、同一の固定具を、サイズの異なる磁心に適用することが容易になる。
【００１２】
本開示の一態様は、１対の側壁は、磁心の中心軸方向に貫通する孔を有してもよい。このような構成によれば、固定具を磁心の中心軸方向に容易に連結することができる。
本開示の別の態様は、少なくとも１つの固定具と、環状の磁心と、固定具と磁心とを結束する結束バンドとを備える雑音電流吸収具である。磁心の外周面は、固定具の支持部に当接する。結束バンドは、溝内に収納されつつ、磁心の内孔、並びに１対の側壁の外面及び凹部に架け渡されている。
【００１３】
このような構成によれば、結束バンドを切断することで、容易に磁心を固定具から取り外すことができる。さらに、結束バンドを収納する溝の存在により、結束バンドが磁心を押圧する部分を必要最低限とできるため、磁心の電気特性の低下を防ぐことができる。また、結束バンドは溝に収納されているため、複数の雑音電流吸収具を磁心の中心軸方向に隙間なく連結することができる。
【図面の簡単な説明】
【００１４】
【図１】図１は、実施形態の固定具の模式的な斜視図である。
【図２】図２Ａは、図１の固定具の模式的な正面図、図２Ｂは、図１の固定具の模式的な側面図、図２Ｃは、図１の固定具の模式的な平面図、図２Ｄは、図１の固定具の模式的な底面図である。
【図３】図３Ａ〜Ｃは、実施形態の固定具とサイズの異なる磁心との位置関係を示す模式的な断面図である。
【図４】図４は、実施形態の雑音電流吸収具の模式的な側面図である。
【図５】図５は、複数の実施形態の雑音電流吸収具を連結した状態を示す模式的な斜視図である。
【発明を実施するための形態】
【００１５】
以下、本開示が適用された実施形態について、図面を用いて説明する。
［１．第１実施形態］
［１−１．構成］
図１、図２に示す固定具１は、環状の磁心をその中心軸と平行な平面に固定する。固定具１の構成材料は特に限定されないが、樹脂や金属で形成することができる。
【００１６】
固定具１は、磁心を固定する平面（以下、「固定平面」ともいう）に立設され、磁心をその中心軸方向に挟んで対向する１対の側壁２Ａ，２Ｂと、１対の側壁２Ａ，２Ｂ間に配設され、磁心の外周面に当接する支持部３とを備える。
【００１７】
（側壁）
１対の側壁２Ａ，２Ｂは、それぞれ一定の厚みを有する板状部材である。１対の側壁２Ａ，２Ｂは、固定する磁心の中心軸方向の端面とその内面がそれぞれ対向するように配置されている。１対の側壁２Ａ，２Ｂは、磁心の中心軸方向への移動を規制する役割を有する。また、１対の側壁２Ａ，２Ｂの平面形状は、固定平面に対しＹ字を上下逆さまにした形状（つまり、逆Ｙ字状）である。
【００１８】
具体的には、１対の側壁２Ａ，２Ｂは、固定平面に当接する底面２１と、１対の側壁２Ａ，２Ｂの周面のうち、底面２１よりも磁心の内孔側に位置する内孔近接面２２と、底面２１を分割するように固定平面と離間する方向に凹んだ凹部２３と、側壁２Ａ，２Ｂの外面に形成される溝２４とをそれぞれ有する。なお、「側壁２Ａ，２Ｂの外面」とは、磁心と対向する面（つまり、側壁２Ａ，２Ｂが対向する面）とは反対側の面を意味する。
【００１９】
底面２１は、凹部２３により、前後の２つの領域に分断されている。ここで、「前」とは、固定具１に磁心が当接する側を意味し、「後」とは、その反対側を意味する。図２Ｄに示すように、前側の底面２１同士は、前側底壁４によって連結されている。また、後側の底面２１同士は、後側底壁５によって連結されている。前側底壁４及び後側底壁５は、それぞれ固定平面に表面が当接する帯板状の部材であり、長手方向が１対の側壁２Ａ，２Ｂの対向方向と一致する。つまり、１対の側壁２Ａ，２Ｂと前側底壁４及び後側底壁５とは、略直角に交差している。
【００２０】
凹部２３は、図２Ｂに示すように、側壁２Ａ，２Ｂの底面２１の中央部において、固定平面と離間する方向に向かって凹んだ領域である。１対の側壁２Ａ，２Ｂの凹部２３同士の間には、壁や突起等の部材は存在しない。つまり、凹部２３は、固定具１を固定平面に設置した際に固定平面との間に形成される貫通孔の開口部分となる。この貫通孔に磁心と固定具１とを結束する結束バンドが挿通される。また、凹部２３には溝２４の一端が設けられており、図２Ｄに示すように、凹部２３の溝２４を含む領域は、他の領域よりも幅が小さくなっている。
【００２１】
凹部２３の具体的な形状を説明すると、凹部２３は、溝２４に含まれる（つまり、溝２４と重なる）領域において、縁の少なくとも一部が溝２４の側面（つまり、溝２４の長手方向）と垂直な直線となっている。これにより、結束バンドのガイド及び固定が容易になる。なお、凹部２３のその他の領域における縁の形状は特に限定されず、直線でも曲線でもよい。
【００２２】
内孔近接面２２は、図２Ｂに示すように、底面２１と対向し、底面２１よりも磁心の内孔側に位置する面である。内孔近接面２２と底面２１とは、固定平面と垂直な立上げ面２５によって接続されている。
【００２３】
本実施形態では、内孔近接面２２は、固定する磁心の中心軸と対向し、かつ磁心の周方向Ｃに沿って延びている。さらに、内孔近接面２２には溝２４の一端が設けられており、図２Ａに示すように、内孔近接面２２の溝２４を含む領域は、他の領域よりも幅が小さい。なお、内孔近接面２２は平滑面であってもよいし、例えば複数の段差を有する凹凸面であってもよい。
【００２４】
溝２４は、磁心と固定具１とを結束する結束バンドが収納可能に構成されている。具体的には、溝２４は、屈曲及び湾曲しない帯状に形成されている。また、溝２４は、一端が内孔近接面２２に形成され、別の一端が凹部２３に形成されている。つまり、溝２４は、図２Ｂに示すように、磁心の中心軸方向（図中、紙面と垂直な方向）から視て、磁心の内孔と凹部２３とを結ぶ仮想直線Ｉと重なる位置に、仮想直線Ｉと平行に形成されている。ここで、仮想直線Ｉは、磁心の中心軸方向から視て磁心の内孔に含まれる任意の点と凹部２３とを結ぶ直線であり、磁心の内孔の中心（つまり中心軸）を必ずしも通る必要はない。また、本実形態では、溝２４の長手方向は、内孔近接面２２の法線と一致する。従って、溝２４の長手方向は、磁心の径方向Ｒと略一致する。
【００２５】
１対の側壁２Ａ，２Ｂのうち、少なくとも一方の溝２４は、内孔近接面２２側（つまり、磁心の内孔側）から凹部２３側に向かって拡幅する段差２４Ａを有する。具体的には、溝２４は、内孔近接面２２から段差２４Ａまで一定の第１幅で形成され、段差２４Ａにおいて第１幅よりも大きい第２幅まで拡幅し、段差２４Ａから凹部２３まで第２幅で形成されている。溝２４の第２幅で形成される部分（つまり、拡幅部分）は、バンドヘッド収納部を構成する。バンドヘッド収納部の長さは、溝２４に収納される結束バンドの、バンドヘッドの端部からバンド挿通路までの距離よりも小さい。ここで、バンド挿通路とは、結束バンドの帯状部を挿通してリング状に固定するための開口部分である。従って、バンドヘッドを溝２４から突出させることなく収納しながら、溝２４の深さを一定とすることができる。なお、第１幅は結束バンドの帯状部の幅に対応し、第２幅は結束バンドのバンドヘッドの幅に対応する。
【００２６】
バンドヘッド収納部は、１対の側壁２Ａ，２Ｂの一方のみに設けてもよいし、両方に設けてもよい。バンドヘッド収納部を１対の側壁２Ａ，２Ｂの両方に設けることで、結束バンドの架け渡し方向が限定されなくなるため、結束の作業性が高められる。
【００２７】
なお、１対の側壁２Ａ，２Ｂは、上述の面の他に、上面２６と、側面２７とを有する。上面２６は、内孔近接面２２の底面２１と反対側の端から連続し、固定平面と平行な面である。側面２７は、上面２６と、後側の底面２１とを接続する面である。
【００２８】
また、１対の側壁２Ａ，２Ｂは、支持部３と反対側、つまり背面３１よりも後側に磁心の中心軸方向に貫通する孔６を有する。この孔６にボルト等を挿通することで、複数の固定具１を磁心の中心軸方向Ｐに連結及び固定することができる。
【００２９】
（支持部）
支持部３は、磁心の外周面に当接することで磁心を支持し、磁心が前後方向（つまり、中心軸と垂直かつ固定平面と平行な方向）へ移動することを拘束する部分である。支持部３は、図１、図２Ａ及び図２Ｃに示すように、背面３１、傾斜面３２、１対の第１突起部３３Ａ，３３Ｂ、１対の第２突起部３４Ａ，３４Ｂ、１対の第３突起部３５Ａ，３５Ｂ、及び１対の第４突起部３６Ａ，３６Ｂを有する。
【００３０】
背面３１は、１対の側壁２Ａ，２Ｂに挟まれ、固定平面と垂直な方向に延びる面である。背面３１は、固定具１の前後方向の中央部分、つまり平面視で凹部２３に重なる位置に配置されている。
【００３１】
傾斜面３２は、１対の側壁２Ａ，２Ｂ間において背面３１よりも固定平面側に配置されている。傾斜面３２は、背面３１側から固定平面側に向かうにつれて前側に傾斜している。傾斜面の固定平面に対する傾きは、１対の側壁２Ａ，２Ｂの内孔近接面２２の中心部分における接線の固定平面に対する傾きと概ね等しい。
【００３２】
１対の第１突起部３３Ａ，３３Ｂ、１対の第２突起部３４Ａ，３４Ｂ、１対の第３突起部３５Ａ，３５Ｂ、及び１対の第４突起部３６Ａ，３６Ｂ（以下、これらをまとめて「突起部群」ともいう）は、１対の側壁２Ａ，２Ｂの内面に突設され、磁心の外周面に当接する面をそれぞれ有する。
【００３３】
突起部群に含まれる各突起部は、それぞれ１対の側壁２Ａ，２Ｂのどちらかの内面に配置された板状体である。また、各突起部は、固定平面と反対側の側面が固定平面に対し傾斜しており、この側面に磁心の外周面が当接する。
【００３４】
第１突起部３３Ａは、一方の側壁２Ａの内面のうち、背面３１に近い領域に配置されている。もう一方の側壁２Ｂの第１突起部３３Ａと対向する位置には、第１突起部３３Ａの反転形状の第１突起部３３Ｂが配置されている。
【００３５】
第２突起部３４Ａは、一方の側壁２Ａの内面のうち、前側の領域、つまり底面２１に近い領域に配置されている。つまり、第２突起部３４Ａは、第１突起部３３Ａと磁心の周方向Ｃに離間して配置されている。第２突起部３４Ａは、第１突起部３３Ａと略同じ厚さを有する。もう一方の側壁２Ｂの第２突起部３４Ａと対向する位置には、第２突起部３４Ａの反転形状の第２突起部３４Ｂが配置されている。
【００３６】
１対の第３突起部３５Ａ，３５Ｂは、１対の第１突起部３３Ａ，３３Ｂの配置領域から固定平面側（つまり、磁心の径方向外側）にずれた領域に配置されている。１対の第３突起部３５Ａ，３５Ｂは、それぞれ１対の第１突起部３３Ａ，３３Ｂよりも厚い。つまり、１対の第３突起部３５Ａ，３５Ｂは、１対の第１突起部３３Ａ，３３Ｂよりも１対の側壁２Ａ，２Ｂの内側に突出している。
【００３７】
１対の第４突起部３６Ａ，３６Ｂは、１対の第２突起部３４Ａ，３４Ｂの配置領域から固定平面側にずれた領域に配置されている。１対の第４突起部３６Ａ，３６Ｂは、１対の第３突起部３５Ａ，３５Ｂと略同じ厚さを有する。つまり、１対の第４突起部３６Ａ，３６Ｂは、１対の第２突起部３４Ａ，３４Ｂよりも１対の側壁２Ａ，２Ｂの内側に突出している。
【００３８】
支持部３は、背面３１、傾斜面３２、及び突起部群により、磁心の中心軸方向Ｐの厚みに応じて、磁心が当接する位置が変わるように構成されている。つまり、磁心の中心軸方向Ｐの厚みが１対の第１突起部３３Ａ，３３Ｂの間隔及び１対の第２突起部３４Ａ，３４Ｂの間隔よりも大きいと、図３Ａに示すように、磁心の外周面はこれらの突起部に当接する。一方、磁心の中心軸方向Ｐの厚みが、１対の第１突起部３３Ａ，３３Ｂの間隔及び１対の第２突起部３４Ａ，３４Ｂの間隔よりも小さく、かつ１対の第３突起部３５Ａ，３５Ｂの間隔及び１対の第４突起部３６Ａ，３６Ｂの間隔よりも大きいと、図３Ｂに示すように、磁心の外周面は１対の第３突起部３５Ａ，３５Ｂ及び１対の第４突起部３６Ａ，３６Ｂに当接する。さらに、磁心の中心軸方向Ｐの厚みが１対の第３突起部３５Ａ，３５Ｂの間隔及び１対の第４突起部３６Ａ，３６Ｂの間隔よりも小さいと、図３Ｃに示すように、磁心の外周面は背面３１と傾斜面３２とに当接し、突起部群には当接しない。このように、磁心１１の厚みに合わせて、支持部３と磁心１１との径方向Ｒ及び周方向Ｃの当接位置がそれぞれ変化する。
【００３９】
（その他の構成）
固定具１は、後側底壁５に、固定平面に固定具１を固定するためのボルトを挿通する孔７を有する。固定具１が樹脂製の場合、この孔７に金属カラーを取り付けることで、孔７の耐久性を向上することができる。
【００４０】
［１−２．使用方法］
次に、固定具１の使用方法について説明する。図４に示すように、固定具１が固定する磁心１１は、磁性体を環状の樹脂ケースで被覆したものである。磁性体としては、例えばアモルファス金属やフェライトを原料とした、帯状体、圧粉体、焼結体等が挙げられる。
【００４１】
まず、固定具１の１対の側壁２Ａ，２Ｂの対向方向と磁心１１の中心軸方向とが一致する向きで、１対の側壁２Ａ，２Ｂ間に磁心を挿入し、支持部３に磁心１１の外周面を当接させる。
【００４２】
次に、結束バンド１２を磁心１１の内孔に挿通し、さらに１対の側壁２Ａ，２Ｂの外面及び凹部２３に架け渡し、１周した帯状部１２Ａをバンドヘッド１２Ｂのバンド挿通路１２Ｃに挿通させることで結束バンド１２をリング状に固定する。このとき、結束バンド１２は１対の側壁２Ａ，２Ｂの溝２４に収納される。従って、結束バンド１２は、１対の側壁２Ａ，２Ｂ上で仮想直線Ｉと平行に固定される。また、バンドヘッド１２Ｂは、溝２４の段差２４Ａによって画定されるバンドヘッド収納部に収納される。なお、結束バンド１２の材質は、求められる強度を満たせられれば、樹脂でも金属でもよい。
【００４３】
最後に、結束された磁心１１及び固定具１を、固定具１の１対の側壁２Ａ，２Ｂの底面２１が固定平面Ｓに当接するように固定平面Ｓに載置し、固定具１を固定平面Ｓに固定することで、磁心１１が固定平面Ｓに固定される。なお、固定具１の固定平面Ｓへの固定手段としては、図５に示すように、ボルト４１によるネジ止めが例示できるが、この他にもリベット止めなども使用可能である。
【００４４】
なお、図４に示すように、１つの磁心１１に対し、複数の固定具１を取り付けてもよい。また、複数の固定具１を用いる場合、複数の固定平面に対し、複数の固定具１を固定してもよい。例えば、対向する上下２つの平面に固定具１をそれぞれ固定してもよい。
【００４５】
さらに、図５に示すように、複数の固定具１を磁心１１の中心軸方向に連続して配置し、これらの固定具１の側壁２Ａ，２Ｂの孔６に１本のボルト４２を挿通し、ナット４３で固定することで、容易かつ確実に複数の固定具１が連結できる。なお、隣接する側壁２Ａ，２Ｂ間（図５における手前の固定具１の側壁２Ｂと、奥の固定具１の側壁２Ａとの間）のみにボルトを挿通してもよい。
【００４６】
［１−３．効果］
以上詳述した実施形態によれば、以下の効果が得られる。
（１ａ）結束バンド１２により、磁心１１を固定具１に結束できる。そのため、固定平面Ｓへの固定後において、結束バンド１２を切断することで、固定具１を固定平面Ｓから離脱させる作業をすることなく、磁心１１を取り外すことができる。
【００４７】
（１ｂ）結束バンド１２によって磁心１１を拘束するので、磁心１１や固定具１に衝撃が加わった際に、結束バンド１２の変形や変位によって衝撃を吸収できる。また、磁心１１が固定具１の支持部３に複数個所で当接するので、固定具１にかかる応力が分散される。そのため、比較的強度の低い材料も固定具１に使用できる。
【００４８】
（１ｃ）結束バンド１２を磁心１１の中心軸方向に架け渡すことで、締め付け力による磁心１１の電気特性の低下を防ぐことができる。また、支持部３により、磁心１１の接線と１対の側壁２Ａ，２Ｂの底面２１とを同一平面で一致させることができる。さらに、支持部３により、固定された磁心１１のガタツキを抑えることができる。
【００４９】
（１ｄ）溝２４に結束バンド１２が収納されるので、複数の固定具１を磁心１１の中心軸方向に隙間なく連結することができる。
（１ｅ）溝２４の段差２４Ａによって形成される拡幅領域に結束バンド１２のバンドヘッド１２Ｂが収納されるので、磁心１１に向かう方向の張力が結束バンド１２に加わった際に、バンドヘッド１２Ｂの角部が段差に引っ掛かるように当接する。その結果、バンドヘッド１２Ｂのバンド挿通路１２Ｃに加わる応力が低減されるので、バンド結合部分の耐性を高めることができる。そのため、樹脂製のバンドを用いても耐性が高められる。
【００５０】
（１ｆ）磁心１１のサイズが変わっても同一形状の固定具１で固定することができる。そのため、磁心１１のサイズに合わせた設計変更や金型製作が不要となり、製品コストを低減することができる。特に、本実施形態では、磁心１１の中心軸方向の厚みに応じて、磁心１１が当接する位置が変わるように構成されているので、サイズの異なる磁心１１への適用が容易である。
【００５１】
（１ｇ）磁心１１の中心軸方向に貫通する孔６を１対の側壁２Ａ，２Ｂに有するので、溝２４に結束バンド１２が収納されることと相まって、固定具１を磁心の中心軸方向に容易に連結することができる。
【００５２】
（１ｈ）固定具１の固定平面Ｓへの固定手段が限定されないので、用途等に合わせて固定手段を適宜選択することができる。また、複数の固定具１を１つの磁心１１に任意の向きで取り付けることができる。
【００５３】
［２．第２実施形態］
［２−１．構成］
図４に示す雑音電流吸収具１０は、磁心１１によって雑音電流を吸収するノイズ対策部品である。雑音電流吸収具１０は、固定具１と、磁心１１と、固定具１と磁心１１とを結束する結束バンド１２とを備える。
【００５４】
上述のように、磁心１１の外周面は、固定具１の支持部３に当接している。結束バンド１２は、溝２４内に収納されつつ、磁心１１の内孔、並びに１対の側壁２Ａ，２Ｂの外面及び凹部２３に架け渡されている。
【００５５】
雑音電流吸収具１０は、上述した手順により、磁心１１と固定具１とを組み合わせた上で結束バンド１２をリング状に固定することで得ることができる。また、雑音電流吸収具１０は、複数の固定具１を備えてもよい。
【００５６】
［２−２．効果］
以上詳述した実施形態によれば、以下の効果が得られる。
（２ａ）固定平面Ｓへの固定後において、結束バンド１２を切断することで、固定具１を固定平面Ｓから離脱させる作業をすることなく、磁心１１を取り外すことができる。
【００５７】
（２ｂ）結束バンド１２によって磁心１１を拘束しているので、磁心１１や固定具１に衝撃が加わった際に、結束バンド１２の変形や変位によって衝撃を吸収できる。また、磁心１１が固定具１の支持部３に複数個所で当接するので、固定具１及び固定平面Ｓにかかる応力が分散される。
【００５８】
（２ｃ）結束バンド１２を磁心１１の中心軸方向に架け渡すことで、締め付け力による磁心１１の電気特性の低下を防ぐことができる。
（２ｄ）溝２４に結束バンド１２が収納されるので、複数の固定具１を磁心１１の中心軸方向に隙間なく連結することができる。
【００５９】
（２ｅ）磁心１１の中心軸方向に貫通する孔６を１対の側壁２Ａ，２Ｂに有するので、溝２４に結束バンド１２が収納されることと相まって、雑音電流吸収具１０を磁心の中心軸方向に容易に連結することができる。
【００６０】
［３．他の実施形態］
以上、本開示の実施形態について説明したが、本開示は、上記実施形態に限定されることなく、種々の形態を採り得ることは言うまでもない。
【００６１】
（３ａ）上記実施形態の固定具１において、溝２４は、段差２４Ａを必ずしも有さなくてもよい。つまり、溝２４にバンドヘッド収納部が形成されていなくてもよい。このような場合でも、バンドヘッドの位置を１対の側壁２Ａ，２Ｂの凹部２３間（つまり、傾斜面３２の裏側）に配置することで、溝２４に結束バンドを収納することができる。
【００６２】
（３ｂ）上記実施形態の固定具１において、支持部３は、突起部群を有さなくてもよい。つまり、支持部３は、背面３１及び傾斜面３２のみで磁心１１と当接するよう構成されてもよい。逆に、支持部３は、５対以上の突起部群を有してもよい。なお、本開示の支持部は、磁心の外周面に当接すればよく、上記実施形態の支持部３のような構成に限定されない。
【００６３】
（３ｃ）上記実施形態の固定具１において、１対の側壁２Ａ，２Ｂは、孔６を有さなくてもよい。側壁２Ａ，２Ｂに孔６を有さない場合でも、固定具１は他の手段で連結することが可能である。
【００６４】
（３ｄ）上記実施形態の固定具１及び雑音電流吸収具１０において、磁心１１として円環状のものを図示したが、磁心１１は平面形状が多角形状の角環であってもよい。ただし、本開示は、円環状の磁心１１に対してその効果が顕著に奏される。また、磁心１１は複数の内孔を有してもよい。
【００６５】
（３ｅ）上記実施形態の固定具１は、後側底壁５の固定平面Ｓ側の面から突出する突起部を有してもよい。この突起部により、固定具１を固定平面Ｓにネジ止めする際の回転を防止することができる。
【００６６】
（３ｆ）上記実施形態の固定具１は、溝２４の凹部２３側の領域を覆い、かつ凹部２３まで突出する溝カバーを備えてもよい。１対の側壁２Ａ，２Ｂの一方の凹部２３から他方の凹部２３に向けて結束バンド１２を送ると、この溝カバーに結束バンド１２の先端部が当接して溝２４に向かって案内される。そのため、結束の作業性が向上する。
【００６７】
（３ｇ）上記実施形態の固定具１の内孔近接面２２は、磁心１１の内孔と凹部２３とを結ぶ仮想直線Ｉと重なる位置に溝２４が形成できれば、必ずしも磁心１１の周方向Ｃに沿って延びている必要はない。また、磁心１１の中心軸と対向する必要もない。
【００６８】
（３ｈ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００６９】
１…固定具、２Ａ、２Ｂ…側壁、３…支持部、４…前側底壁、５…後側底壁、６…孔、
７…孔、１０…雑音電流吸収具、１１…磁心、１２…結束バンド、１２Ａ…帯状部、
１２Ｂ…バンドヘッド、１２Ｃ…バンド挿通路、２１…底面、２２…内孔近接面、
２３…凹部、２４…溝、２４Ａ…段差、２５…立上げ面、２６…上面、２７…側面、
３１…背面、３２…傾斜面、３３Ａ、３３Ｂ…第１突起部、
３４Ａ、３４Ｂ…第２突起部、３５Ａ、３５Ｂ…第３突起部、
３６Ａ、３６Ｂ…第４突起部、４１…ボルト、４２…ボルト、４３…ナット。
【図１】
2018078167.tif 000003
【図２】
2018078167.tif 000004
【図３】
2018078167.tif 000005
【図４】
2018078167.tif 000006
【図５】
2018078167.tif 000007